(57)【特許請求の範囲】
【請求項１】
窓枠を備えたサッシであって、
前記窓枠は、上下の横枠および左右の縦枠を四周枠組して構成されているとともに、各枠の室内側には、四周枠組みすることで形成される窓枠開口の内側から木製の木部材が取り付けられており、
前記横枠に設けられた横木部材の端部と前記縦枠との間か、または、前記縦枠に設けられた縦木部材と前記横枠との間には、ピース状のライナー部材が配置され、
前記ライナー部材が前記横木部材の端部と前記縦枠との間に配置されている場合、前記縦枠には、縦木部材用の位置決め部が当該縦枠の長手方向に沿って略連続して設けられ、前記ライナー部材と前記横木部材との当接位置が当該位置決め部よりも窓枠開口内側とされ、
前記ライナー部材が前記縦木部材の端部と前記横枠との間に配置されている場合、前記横枠には、横木部材用の位置決め部が当該横枠の長手方向に沿って略連続して設けられ、前記ライナー部材と前記縦木部材との当接位置が当該位置決め部よりも窓枠開口内側とされているサッシ。
【請求項２】
窓枠を備えたサッシであって、
前記窓枠は、上下の横枠および左右の縦枠を四周枠組して構成されているとともに、各枠の室内側には、四周枠組みすることで形成される窓枠開口の内側から木製の木部材が取り付けられており、
前記横枠に設けられた横木部材の端部と前記縦枠との間か、または、前記縦枠に設けられた縦木部材と前記横枠との間には、ピース状のライナー部材が配置され、
前記縦枠に取り付けられる縦木部材の端部側には前記横木部材の端部を呑み込む呑込部が設けられているか、または、前記横木部材の端部側には前記縦枠に取り付けられる縦木部材の端部を呑み込む呑込部が設けられ、
この呑込部を構成する室内側の立上片は、前記ライナー部材および当該呑込部に呑み込まれた木部材の端部を室内側から見えなくする位置に設けられているサッシ。
【発明の詳細な説明】
【０００１】
【発明の属する技術分野】
本発明は、窓枠に係り、例えば金属製の上枠、下枠、および左右の縦枠を四周枠組して構成されているとともに、各枠の室外側には木製の木部材が長手方向に沿って設けられている窓枠を備えたサッシに関する。
【０００２】
【背景技術】
近年の建物においては、快適な生活空間を形成し、かつ冷暖房に使用するエネルギーを減少させて省エネルギー化を図るために、外壁や建具等における断熱性能が重視されている。特に、新断熱基準や次世代省エネルギー基準等が策定されていることもあり、従来であれば、断熱サッシや断熱ドアを利用していなかった地域においても、断熱サッシ等を採用する建物が増えてきている。
【０００３】
このような断熱サッシの一つに、天然木の質感と、アルミ等の金属の持つ耐久性、耐候性を兼ね備えたサッシとして、窓枠や障子の室外側をアルミの押出形材（金属形材）からなる枠材で構成し、室内側を天然木や集成材等の木部材で構成したアルミ木複合サッシがある。この複合サッシは、室内側からは木部材の持つ質感や美観、触感等を楽しめる一方で、室外側がアルミ製のためにメンテナンス性、耐久性を向上できるという特色を有する。また、室外側が木製であると、木部材の有する断熱性により、その表面には外気で冷却されたアルミの枠材からの熱が伝わり難く、結露対策にも有効である。
【０００４】
【発明が解決しようとする課題】
そのような木部材としては、上木部材、下木部材、および左右の縦木部材とがあり、これらがアルミの枠材である上枠、下枠、および左右の縦枠に各々ビス等で固定されている。この際、上木部材が縦木部材に対して横勝ちに接合されている場合、すなわち、上枠部材の下面に縦木部材の上端が当接される場合には、上木部材の両端が縦枠に当接されており、この当接によって上木部材と縦枠とが密着し、両部材間の気密性や遮光性が確保されるようになっている。
【０００５】
ところで、上木部材の両端を左右の縦枠間に密着させるためには、上木部材を縦枠間の寸法に合わせて正確な長さに加工する必要があるが、上木部材は木製であるため、製作時の周囲の湿度の違い等によって多くの水分を含んでいる場合と、含んでいない場合とでは、加工条件が大きく異なり、常に正確な長さ寸法に加工するのは難しい。従って通常では、上木部材を縦枠間の若干長目に製作できるように寸法公差が設定されており、縦枠に確実に密着するようにしている。
【０００６】
しかしながら、上木部材を長目に製作すると、縦枠間への取付作業が煩雑になる。つまり、上木部材を取り付けるためには例えば、縦枠間で上木部材を略水平にしてその両端を当該縦枠に接触させ、接触した状態で最終位置にスライドさせるのであるが、両端が縦枠に接触していることで、スライドがスムーズに行われず、容易に取り付けることができない。また、無理にスライドさせようとすると、縦枠を変形させてしまうという問題が生じる。
【０００７】
さらに、以上の木部材は、例えば建て付け時に何らかの理由で交換したり、老朽化等によって交換する場合がある。そして、既設の上枠を窓枠から外して交換する場合にもやはり、縦枠に接触させながら室内側等にスライドさせなければならないため、手間がかかるという問題がある。
【０００８】
そして、このような問題は、上木部材と縦木部材との接合構造が横勝ちの場合に限らず、縦勝ちの場合にも生じる。縦勝ちの場合、縦木部材は上下の上枠および下枠間に取り付けられるのであるが、やはり長目の縦木部材を上下枠に接触させながらスライドさせる必要があるため、上述と同様な問題が生じる。
【０００９】
本発明の目的は、木部材の取付作業および取外作業を容易にできるサッシを提供することにある。
【００１０】
【課題を解決するための手段】
本発明のサッシは、窓枠を備えたサッシであって、前記窓枠は、上下の横枠および左右の縦枠を四周枠組して構成されているとともに、各枠の室内側には、四周枠組みすることで形成される窓枠開口の内側から木製の木部材が取り付けられており、前記横枠に設けられた横木部材の端部と前記縦枠との間か、または、前記縦枠に設けられた縦木部材と前記横枠との間には、ピース状のライナー部材が配置され、前記ライナー部材が前記横木部材の端部と前記縦枠との間に配置されている場合、前記縦枠には、縦木部材用の位置決め部が当該縦枠の長手方向に沿って略連続して設けられ、前記ライナー部材と前記横木部材との当接位置が当該位置決め部よりも窓枠開口内側とされ、前記ライナー部材が前記縦木部材の端部と前記横枠との間に配置されている場合、前記横枠には、横木部材用の位置決め部が当該横枠の長手方向に沿って略連続して設けられ、前記ライナー部材と前記縦木部材との当接位置が当該位置決め部よりも窓枠開口内側とされていることを特徴とする。
【００１１】
このようなサッシによれば、例えば横勝ち構造の場合では、横木部材の端部と縦枠との間に、ピース状のライナー部材を配置する。このため、横木部材を取り付けたり、取り外す場合には、このライナー部材の分だけ横木部材の端部を接触させてスライドさせればよい。従って、横木部材の端部を接触させながら行うスライドの長さが従来より短くなるから、スライドがスムーズに行えるようになり、その取付作業および取外作業が容易になる。
そして、縦勝ち構造の場合では、縦木部材の端部と横枠との間にピース状のライナー部材を配置することにより、縦木部材の着脱に関して同様な作用効果が得られる。
【００１３】
また、従来、横木部材が横勝ち構造で縦木部材と接している場合で、縦枠に位置決め部が設けられている場合には、横木部材の端部も縦枠の位置決め部に係合等することになる。そして、横木部材の端部が位置決め部に係合していると、横木部材を単に室内側にスライドさせたのでは、外すことができないという問題がある。
そこで本発明のサッシにおいては、ライナー部材の厚み寸法等を工夫することにより、ライナー部材と横木部材との当接位置が位置決め部よりも窓枠開口内側になるようにした。このため、横木部材は縦枠の位置決め部には係合されず、横木部材の取付作業および取外作業が当該縦枠の位置決め部に何ら阻害されることなく行われる。
また、縦勝ち構造の場合には、縦木部材は横枠の位置決め部には係合されず、縦木部材の取付作業および取外作業が当該横枠の位置決め部に何ら阻害されることなく行われる。
【００１４】
さらに、本発明のサッシは、窓枠を備えたサッシであって、前記窓枠は、上下の横枠および左右の縦枠を四周枠組して構成されているとともに、各枠の室内側には、四周枠組みすることで形成される窓枠開口の内側から木製の木部材が取り付けられており、前記横枠に設けられた横木部材の端部と前記縦枠との間か、または、前記縦枠に設けられた縦木部材と前記横枠との間には、ピース状のライナー部材が配置され、前記縦枠に取り付けられる縦木部材の端部側には前記横木部材の端部を呑み込む呑込部が設けられているか、または、前記横木部材の端部側には前記縦枠に取り付けられる縦木部材の端部を呑み込む呑込部が設けられ、この呑込部を構成する室内側の立上片は、前記ライナー部材および当該呑込部に呑み込まれた木部材の端部を室内側から見えなくする位置に設けられている。
【００１５】
このようなサッシでは、横木部材や縦木部材の取付作業および取外作業が容易になるとともに、ライナー部材と横木部材の端部、あるいはライナー部材と縦木部材の端部との当接部分は勿論、ライナー部材自身も立上片で隠れて室内側に露出しないため、内観が良好となる。
【００１６】
【発明の実施の形態】
以下、本発明の一実施形態を図面に基づいて説明する。
図１は、本実施形態に係るサッシとしての嵌め殺し窓（ＦＩＸ窓）１を示す縦断面図、図２は、嵌め殺し窓１を示す横断面図、図３、図４はそれぞれ、嵌め殺し窓１の要部を示す一部破断の平面図および分解斜視図である。
【００１７】
嵌め殺し窓１は、背景技術でも説明したアルミ木複合タイプの断熱サッシであり、建物の躯体に取り付けられる窓枠１０と、窓枠１０内に嵌め込まれた複層のガラス面材２０とを備えている。
【００１８】
窓枠１０は、横枠としての上枠１１、下枠１２、および左右の縦枠１３を四周枠組みした構成である。各枠１１，１２，１３は、アルミの押出形材製の室内部材１１１，１２１，１３１と、同じくアルミの押出形材製の室外部材１１２，１２２，１３２と、これらを連結する合成樹脂製の断熱部材１１３，１２３，１３３とで構成された断熱形材となっている。本実施形態での断熱部材１１３，１２３，１３３は、溶融した樹脂を注入して硬化させたものであるが、板状のリジットの断熱部材を１枚あるいは複数枚用いたものであってもよい。
【００１９】
各枠１１，１２，１３において、室内部材１１１，１２１，１３１の室内側には、天然木製の横木材としての上木部材３１、下木部材３２、および左右の縦木部材３３がビス３４で取り付けられている。これらの木部材３１，３２，３３は、窓枠１０の室内側の見え掛かり部分を覆うことで、アルミの部分を室内側から見えなくして窓枠１０を天然木の自然な風合いに仕上げているとともに、断熱性能を向上させて室内側への露出面での結露の発生をより確実に防止している。
【００２０】
上木部材３１および縦木部材３３は、ガラス面材２０の室内側面を支持する押縁としても機能している。これに対して、ガラス面材２０の室内側面の下部側は、アルミの押出形材製または樹脂製の横押縁４０で支持されている。この横押縁４０の上面には、排水口を備えた排水部材４１が設けられており、ガラス面材２０の室内側面に生じた結露水が下方に伝い落ちた場合に、結露水を下木部材３２に触れることなく排水部材４１を通して室内部材１２１内に導き、図示しない別の排水口から外部に排出するようになっている。
【００２１】
さて、上木部材３１および縦木部材３３において、上枠１１および縦枠１３と対向する面には、長手方向に沿った一条の係合溝３５が設けられている。係合溝３５には、上枠１１および縦枠１３の各室内部材１１１，１３１から窓枠開口２内に突設された位置決め部としてのヒレ部１４が挿入され、係合（ラップ）している。これにより、各木部材３１，３３の見込み方向の位置決めがなされるとともに、室内部材１１１，１３１との間で気密性および遮光性が確保されている。
【００２２】
図４、図５において、上木部材３１の端部（両端）と縦枠１３の室内部材１３１の側面との間には、合成樹脂製のピース状のライナー部材５０が配置されている。このライナー部材５０は、窓枠開口２側からのビス５１によって室内部材１３１の側面に取り付けられる。また、ライナー部材５０は、縦枠１３のヒレ部１４の突出寸法Ｔ１よりも大きな厚み寸法Ｈ１を有し、上木部材３１の端部とライナー部材５０との当接位置がヒレ部１４の先端よりも窓枠開口２側に位置するようになっている。
【００２３】
この、ライナー部材５０の上面には平行な二条の係合溝５２が設けられ、鉛直な側面にも平行な二条の係合溝５３が設けられ、室内側に設けられた係合溝５２，５３同士が連続してそれぞれ、上枠１１のヒレ部１４および縦枠１３のヒレ部１４に嵌り込んでいる。なお、室外側で連続した係合溝５２，５３は、図示したのとは反対側の端部に配置された場合に、各ヒレ部１４（不図示）が嵌り込むように設けられている。
【００２４】
従って、上木部材３１の端部には係合溝が設けられておらず、上木部材３１の端面がフラットな単純な面に仕上げられ、ライナー部材５０に当接されている。そして、上木部材３１の端部およびライナー部材５０は、縦木部材３３の上部に設けられた呑込部３６に呑み込まれ、この上木部材３１と縦木部材３３とが横勝ちで配置されている。
【００２５】
呑込部３６は、縦木部材３３の上端を、室内側の立上片３７を残して切削して形成されているが、この立上片３７を縦額縁３に密着させることで、上木部材３１とライナー部材５０との当接部分を隠し、また、上木部材３１の端部と縦額縁３との間の僅かな隙間４（図３）を塞いでライナー部材５０自身を室内側から見えないように隠している。
【００２６】
ここで、図４に示した符号１５は、上枠１１および縦枠１３の互いの室外部材１１２，１３２間に挟持されるシーラー材であり、各室外部材１１２，１１３間の水密性、気密性、および遮光性を確保するために用いられている。
【００２７】
このような本実施形態においては、嵌め殺し窓１の施工中で、既に取り付けられた各木部材３１，３２，３３が色違いの部材であったり、あるいは、嵌め殺し窓１の設置後の老朽化により、各木部材３１，３２，３３が傷んだ場合には、以下のようにして新たなものと交換する。
【００２８】
先ず、水平方向のビス３４を外して既設の縦木部材３３を取り出す。この際には、縦木部材３３を窓枠開口２側にずらすことで縦枠１３のヒレ部１４との係合を外し、この後に縦木部材３３を室内側に引き入れて全体を取り出す。次いで、鉛直方向のビス３４を外して上木部材３１を取り出す。この際には、上木部材３１を窓枠開口２側（下方側）にずらすことで上枠１１のヒレ部１４との係合を外し、この後に上木部材３１をそのまま室内側にスライドさせて全体を取り出す。なお、下木部材３２は、ビス３４を外して上方に持ち上げれば、容易に取り外すことが可能である。
【００２９】
新たな木部材３１，３２，３３を取り付けるに当たっては、上述とは反対の手順を踏めばよく、先ず、下木部材３２を落とし込んでビス３４で仮止めする。この後に上木部材３１を室内側から窓枠２内に差し入れ、スライドさせてライナー部材５０間に配置し、さらに、上方にずらして上枠１１のヒレ部１４に嵌め込んで仮止めする。最後に、縦木部材３３を窓枠開口２から外側に向けて移動させ、縦枠１３のヒレ部１４に嵌め込んで仮止めする。そして、各ビス３４を締め付けて各木部材３１，３２，３３を本固定する。
【００３０】
このような本実施形態によれば、以下のような効果がある。
(１) すなわち、嵌め殺し窓１において、上木部材３１の端部と縦枠１３の室内部材１３１との間には、ピース状のライナー部材５０が配置されているので、上木部材３１を交換する場合など、上枠１３に対して上木部材３１を取付時および取外時には、ライナー部材５０に対して上木部材３１の端部を接触させればよく、接触させながら行うスライドを短い長さで完了させることができ、取付作業および取外作業を容易にできる。
また、上木部材３１の長さは、縦枠１３間の寸法よりも十分短いため、上木部材３１の窓枠開口２内での取り扱いを良好にでき、作業を簡単に行える。
【００３１】
(２) そして、ライナー部材５０の厚み寸法Ｈ１は、縦枠１３のヒレ部１４の突出寸法Ｔ１よりも大きく、上木部材３１とライナー部材５０との当接位置が、ヒレ部１４の先端よりも窓枠開口２側に位置しているため、上木部材３１の取付時および取外時には、上木部材３１を縦枠１３のヒレ部１４に何ら邪魔されることなく容易に着脱でき、作業性を向上させることができる。さらに、縦枠１３のヒレ部１４との係脱を行う必要がないから、上枠１１との係合を外すだけで容易に着脱でき、この点でも作業性を向上させることができる。
【００３２】
(３) また、上木部材３１の端部を縦枠１３のヒレ部１４に係合させる必要がないので、その端部に係合溝を施す必要もない。従って、その端部を平坦な端面に仕上げることができ、容易かつ安価に加工できる。
【００３３】
(４) さらには、縦枠１３のヒレ部１４にライナー部材５０が係合しているとともに、このライナー部材５０には上木部材３１の端部が当接されているので、各部材１３，３１，５０間の隙間をなくすことができ、気密性や遮光性を確実に確保できる。
【００３４】
(５) 上木部材３１とライナー部材５０との当接部分は縦木部材３３の立上片３７で室外側から覆われているため、当接部分の鉛直な境界ラインを室内側から見えなくして内観を良好にできる。また、上枠１１のアルミ部分が熱伸びし、これに取り付けられた上木部材３１とライナー部材５０との間に隙間が生じた場合でも、この隙間を立上片３７で隠すことができるから、気密性、遮光性、および内観を良好に維持できる。
【００３５】
(６) しかも、立上片３７でライナー部材５０自身も隠されるので、木製に対して見た目が大きく異なる合成樹脂でライナー部材５０を製作しても、このライナー部材５０が室内側に露出することはなく、内観を損なう心配がない。換言すれば、ライナー部材５０を耐久性、耐候性、あるいは加工性等を勘案して任意の材料で製作できる。
【００３６】
(７) ライナー部材５０には水平方向および鉛直方向の係合溝５２，５３が設けられているが、これらをライナー部材５０の製造時の樹脂成形で簡単に形成することができるから、何ら手間やコストを要することがなく、上木部材３１に多数の係合溝を設ける場合に比して、安価にできる。
【００３７】
なお、本発明は、前記実施形態に限定されるものではない。
例えば、前記実施形態では、上木部材３１が横勝ち構造で配置され、ライナー部材５０が縦枠１３に直接取り付けられていたが、本発明のサッシはこれに限らず、上木部材３１が縦勝ち構造で配置されている場合であってもよい。このような場合には、図５に示すように、ライナー部材５０が縦木部材３３と上枠１１との間に配置される。そして、この場合には、縦木部材３３の取付が容易になり、本発明の目的を達成できる。
また、図５に示すような縦勝ち構造において、呑込部を上木部材３１の端部に設け、ライナー部材５０および縦木部材３３の上端を覆ってもよい。
【００３８】
前記実施形態では、本発明に係る横枠が上枠１１とされ、横木部材が上木部材３１であったが、下枠１２および下木部材３２を、本発明に係る横枠および横木部材としてもよい。このような場合には、下木部材３２の着脱を容易にできるという効果がある。
【００３９】
前記実施形態では、本発明のサッシとして嵌め殺し窓１について説明したが、本発明のサッシとしてはこれに限定されず、例えば引違い窓、引き窓、縦辷り出し窓、横辷り出し窓、開き窓、ルーバー窓、上げ下げ窓等、任意の窓種のサッシに本発明を適用できる。
【００４０】
前記実施形態では、上木部材３１および縦木部材３３がガラス面材２０の室内側面を支持する押縁を兼用していたが、専用の押縁を別途設けてもよい。また、嵌め殺し窓１以外の窓種によっては、面材を支持する押縁が窓枠に不要であるから、このような場合にも、木部材で押縁を兼用させる必要がない。
【００４１】
また、窓枠を構成する上枠、下枠、および左右の縦枠としては、前記実施形態のように、アルミ製の室内外部材とこれらを連結する断熱部材とで構成された断熱形材が用いられていたが、全てアルミ等の押出形材であったり、樹脂の押出成形品であってもよく、任意の材質や構造を適用できる。
【００４２】
さらに、前記実施形態では、本発明に係る位置決め部としてヒレ部１４が設けられていたが、位置決め部としてはこれに限定されず、例えば、縦枠１３に設けられた段差部等で構成してもよい。
【００４３】
その他、ライナー部材５０の具体的な形状や材質等も、前記実施形態に限定されるものではなく、本発明の目的を達成できる範囲で任意に変更可能であり、変更した場合でも本発明に含まれる。
【００４４】
【発明の効果】
以上に述べたように、本発明のサッシによれば、木部材の取付作業および取外作業を容易にできるという効果がある。
【図面の簡単な説明】
【図１】本発明の一実施形態に係るサッシを示す縦断面図である。
【図２】前記実施形態のサッシを示す横断面図である。
【図３】前記実施形態のサッシの要部を示す一部破断の平面図である。
【図４】前記実施形態のサッシの要部を示す分解斜視図である。
【図５】本発明の変形例を示す模式図である。
【符号の説明】
１…サッシである嵌め殺し窓、２…窓枠開口、１０…窓枠、１１…横枠である上枠、１２…下枠、１３…縦枠、１４…位置決め部であるヒレ部、３１…横木部材である上木部材、３３…縦木部材、３６…呑込部、３７…立上片、５０…ライナー部材、Ｈ１…厚み寸法、Ｔ１…突出寸法。
【図１】
0003796465.tif 000002
【図２】
0003796465.tif 000003
【図３】
0003796465.tif 000004
【図４】
0003796465.tif 000005
【図５】
0003796465.tif 000006